(57)【要約】【課題】  道路、鉄道などの橋梁における堆積物を、狭い作業空間であっても、良好な作業性で、掃除して回収する掃除機１の吸込み装置２０を提供する。【解決手段】  前後方向に延びる平板状の基板２１の両端部から側板２４、２５が立ち上がり、基板２１の後端部には、前方に臨んで開口する吸込み孔２８を有する筒状の操作部材３１が設けられる。操作部材３１は、可撓管２を介して負圧源３に接続される。作業者は、操作部材３１を手で掴んで、橋梁の床組、軌道などの上面の堆積物を、基板２１の前端部３９で、掻き取って、基板２１へすくい取り、基板２１上に載せる。基板２１上の堆積物は、側板２４、２５に沿って後方に案内され、吸込み孔２８から吸込まれ、可撓管２を経て回収される。【選択図】  図１
2017086511.tif 000002
【特許請求の範囲】
【請求項１】
前方に開口し、後部が可撓管を介して負圧源に接続される掃除機の吸込み装置であって、
前後方向に延びる平板状の基板と、
基板の両端部から立ち上がる側板と、
基板の後端部に設けられ、前方に臨んで開口する吸込み孔を有し、前記可撓管に接続される筒状の操作部材とを含むことを特徴とする掃除機の吸込み装置。
【請求項２】
側板の上端部に取付けられ、少なくとも後部を覆うカバー部を有することを特徴とする請求項１に記載の掃除機の吸込み装置。
【請求項３】
可撓管を介して負圧源に接続される掃除機の吸込み装置であって、
下方に臨む取入れ口に連なって取入れ空間が形成され、両側部に、下方に開放した切欠きが形成され、上部に、取入れ空間に開口する吸込み孔を有する包囲部材と、
包囲部材の吸込み孔に連なり、前記可撓管に接続される筒状の操作部材とを含むことを特徴とする掃除機の吸込み装置。
【請求項４】
前記操作部材は、後方になるにつれて上方に傾斜した軸線を有することを特徴とする請求項１〜３のうちの１つに記載の掃除機の吸込み装置。
【発明の詳細な説明】
【技術分野】
【０００１】
本発明は、掃除機の吸込み装置に関し、特に、道路、鉄道などの橋梁などの構造物における不要なごみである堆積物を掃除するために好適な掃除機の吸込み装置に関する。
【背景技術】
【０００２】
橋梁の疲労亀裂などを対象とした定期的な保守点検は、たとえば２年または５年毎に行なわれる。この点検のために、橋梁における堆積物を、予め掃除して除去する必要がある。堆積物は、たとえば風、自動車の車輪などによって運ばれてきた小石、土のほかに、コンクリート破片、鋼材表面の塗料層から剥離した小片、鋼材の錆、植物、枯葉、鳥の巣などがあり、さらに側溝内の水を含んだ土砂など、多くの種類がある。堆積物を掃除すべき場所は、多くの場合、狭い作業空間であり、危険な高所もあり、しかも除去した堆積物を、飛散、落下などすることなく、収集して回収しなければならない。
【０００３】
従来、このような用途に適した作業具は存在しない。作業者は、スコップ、移植こて、刷毛、ブラシ、へらなどを、使用している。このような従来の作業具では、作業性が悪く、高所での取扱いは危険なこともあり、除去した堆積物の回収は困難である。
【発明の概要】
【発明が解決しようとする課題】
【０００４】
本発明の目的は、狭い作業空間であっても、良好な作業性で、掃除をして、堆積物を収集して回収することができる掃除機の吸込み装置を提供することである。
【課題を解決するための手段】
【０００５】
本発明は、
前方に開口し、後部が可撓管を介して負圧源に接続される掃除機の吸込み装置であって、
前後方向に延びる平板状の基板と、
基板の両端部から立ち上がる側板２４、２５、３６、３７、６４、６５、７６、７７，９４、９５、１０６、１０７と、
基板の後端部に設けられ、前方に臨んで開口する吸込み孔を有し、前記可撓管に接続される筒状の操作部材とを含むことを特徴とする掃除機の吸込み装置である。
【０００６】
本件明細書中、たとえば前方、後方、上方、下方などの方向は、吸込み装置の構成を説明する便宜のためにのみ使用され、特定の構成、動作および操作を限定することを、意図していない。本発明は、吸込み装置が使用操作される各種の態様に拘らず、請求項において便宜のためにのみ使用された前後方向、上下方向などの方向によって定義された構成自体である。一例を述べると、前方とは、吸込み装置の操作部材を手で掴んだ作業者が、たとえば橋梁の床組、軌道や路面などの上面の堆積物を、掻き取って、基板へすくい取り、基板上に載せる典型的な使用態様において、吸込み装置を移動操作する下流であり、たとえば後述の右側面図である図６、図１９、図２６の左方であり、後方とは、吸込み装置を移動操作する上流である。上方とは、この使用態様において、基板から見て、堆積物が乗載している方向であり、たとえば右側面図である図６、図１９、図２６の上方であり、下方とは、図６、図１９、図２６の下方である。
【発明の効果】
【０００７】
本発明によれば、図１〜図２７に示されるように、典型的な使用態様では、作業者は、吸込み装置の操作部材を片方の手で掴んで、たとえば橋梁の床組、軌道や路面などの上面の堆積物を、掻き取って、基板へすくい取り、基板上に載せる作業を良好な作業性で容易に行なうことができる。基板上に載せられた堆積物は、負圧源の吸引力によって、また、作業者が操作部材を手で操作して吸込み装置の後部が下方となるように傾斜することによって、基板の両端部の側板に沿って案内され、吸込み孔から操作部材を経て可撓管から負圧源によって吸引され、収集されて回収される。
【０００８】
本発明は、
側板の上端部に取付けられ、少なくとも後部を覆うカバー部を有することを特徴とする。
【０００９】
本発明によれば、図１４〜図２７に示されるように、側板の上端部が少なくとも後部でカバー部によって覆われるので、吸込み孔付近で、基板と側板とカバー部とで規定される空間における負圧の絶対値を可及的に大きくすることができる。これによって、基板上の堆積物は、吸込み孔に負圧吸引されて吸込まれやすくなり、比較的大量の堆積物を、および比較的比重の大きい小石などの堆積物を、回収することができる。
【００１０】
本発明は、
可撓管を介して負圧源に接続される掃除機の吸込み装置であって、
下方に臨む取入れ口に連なって取入れ空間が形成され、両側部に、下方に開放した切欠きが形成され、上部に、取入れ空間に開口する吸込み孔を有する包囲部材と、
包囲部材の吸込み孔に連なり、前記可撓管に接続される筒状の操作部材とを含むことを特徴とする掃除機の吸込み装置である。
【００１１】
本発明によれば、図２８〜図３４に示されるように、たとえば橋梁の床組、軌道などの上面から突出した植込みボルト、その他のボルト頭、ナットなどの凸部付近を掃除するにあたり、包囲部材の下部を前記上面に当接した状態で、包囲部材の切欠きが凸部を通過するように、幅方向両側に、すなわち左右両側方（図２９の左右方向、図３３の紙面に垂直方向）に、往復移動する。これによって、凸部付近が包囲部材の負圧である取入れ空間内にあり、凸部付近の堆積物を、取入れ口から取入れ空間を経て吸込み孔に、容易に吸引されて、除去することができる。前述の従来では、凸部付近の堆積物を除去しにくく、特に凸部に巻き付いている堆積物は、除去しにくかったが、本発明によれば、凸部の延びる軸線方向（図２９、図３３の上方）に、堆積物を吸引できるので、その掃除の作業性は良好である。
【００１２】
本発明は、
前記操作部材は、後方になるにつれて上方に傾斜した軸線を有することを特徴とする。
【００１３】
本発明によれば、操作部材は、たとえば橋梁の床組、軌道などの上面から離間する方向に延びるので、作業者は、吸込み装置の操作部材を片方の手で掴みやすい。したがって、たとえば前記上面の堆積物を、掻き取って、基板へすくい取ったり、凸部の延びる軸線方向に吸引する作業を、良好な作業性で容易に行なうことができる。
【図面の簡単な説明】
【００１４】
【図１】本発明の実施の一形態の掃除機１（後述の図７参照）の吸込み装置２０の斜視図である。
【図２】吸込み装置２０の正面図である。
【図３】吸込み装置２０の背面図である。
【図４】吸込み装置２０の平面図である
【図５】吸込み装置２０の底面図である。
【図６】吸込み装置２０の右側面図である。
【図７】掃除機１の全体の斜視図であり、図８は掃除機１に備えられる負圧源３の断面図である。
【図８】掃除機１に備えられる負圧源３の断面図である。
【図９】負圧源３の堆積物を回収する作業状態を示す分解斜視図である。
【図１０】吸込み装置２０を使用して作業者が堆積物回収作業をしている状態を示す図である。
【図１１】吸込み装置２０を使用して作業者が堆積物回収作業をしている他の状態を示す図である。
【図１２】作業者が堆積物回収作業をしているさらに他の状態を示す図である。
【図１３】本発明の実施の他の形態の吸込み装置４８の右側面図である。
【図１４】本発明の実施の他の形態の掃除機１の吸込み装置６０の斜視図である。
【図１５】吸込み装置６０の正面図である。
【図１６】吸込み装置６０の背面図である。
【図１７】吸込み装置６０の平面図である。
【図１８】吸込み装置６０の底面図である。
【図１９】吸込み装置６０の右側面図である。
【図２０】本発明の実施の他の形態の吸込み装置８８の右側面図である。
【図２１】本発明の実施の他の形態の掃除機１の吸込み装置９０の斜視図である。
【図２２】吸込み装置９０の正面図である。
【図２３】吸込み装置９０の背面図である。
【図２４】図２４は吸込み装置９０の平面図である。
【図２５】図２５は吸込み装置９０の底面図である。
【図２６】図２６は吸込み装置９０の右側面図である。
【図２７】本発明の実施の他の形態の吸込み装置１１８の斜視図である。
【図２８】本発明の実施の他の形態の掃除機１の吸込み装置１２０の斜視図である。
【図２９】吸込み装置１２０の正面図である。
【図３０】吸込み装置１２０の背面図である。
【図３１】吸込み装置１２０の平面図である。
【図３２】吸込み装置１２０の底面図である。
【図３３】吸込み装置１２０の右側面図である。
【図３４】本発明の実施の他の形態の吸込み装置１４８の右側面図である。
【発明を実施するための形態】
【００１５】
図１は本発明の実施の一形態の掃除機１（後述の図７参照）の吸込み装置２０の斜視図であり、図２は吸込み装置２０の正面図であり、図３は吸込み装置２０の背面図であり、図４は吸込み装置２０の平面図であり、図５は吸込み装置２０の底面図であり、図６は吸込み装置２０の右側面図である。吸込み装置２０の左側面図は、右側面図と対称にあらわれる。
【００１６】
掃除機１の吸込み装置２０は、前方（図６の左方）に開口し、後部（図６の右方）が可撓管２を介して負圧源３に接続される。吸込み装置２０は、図２〜図５の左右対称に構成される。吸込み装置２０は、前後方向（図６の左右方向）に延びる平板状の基板２１を有する。基板２１の両側部２２、２３には、上方になるにつれて基板２１の幅方向外方（図２の左右方向）に傾斜して立ち上がる側板２４、２５が取付けられる。側板２４、２５には、立上り側板３６、３７が上方に延びて固定される。端板２９は、基板２１の後端部２７に配置され、基板２１から垂直に立上り、基板２１、側板２４、２５および立上り側板３６、３７に固定され、前方に臨んで開口する吸込み孔２８を有する。端板２９には、筒状、たとえば直円筒状の操作部材３１の一端部３４が固定されて吸込み孔２８に連通する。操作部材３１の他端部３５は、可撓管２に着脱可能に気密に接続される。吸込み装置２０は、たとえば、その全体が、鋼、アルミニウムなどの高強度の金属製である。
【００１７】
立上り側板３６、３７は、基板２１の仮想延長面に垂直に、側板２４、２５から上方に連設される。立上り側板３６、３７は、基板２１の前後方向（図６の左右方向）の途中位置から、側方から見て、後方（図６の右方向）になるにつれて高くなる３角形の板状である。
【００１８】
吸込み装置２０の寸法形状の一例を述べる。図６のように、基板２１の前後方向の長さＬ２１＝１００ｍｍ、基板２１の前端部３９から立上り側板３６までの距離Ｌ３６ａ＝５４ｍｍ（したがって、たとえば、Ｌ３６ａ≒Ｌ２１／２）、操作部材３１の長さＬ３１＝２００ｍｍ、操作部材３１の呼び径φ３８ｍｍ、端板２９の高さＨ２９＝６１ｍｍ、側板２４の基板２１に垂直な高さＨ２４＝１５ｍｍ、図２のように、端板２９の幅Ｗ２９＝８７ｍｍ、基板２１の幅Ｗ２１＝６０ｍｍである。
【００１９】
操作部材３１は、後方（図６の右方）になるにつれて上方に角度θだけ傾斜した軸線３２を有する。角度θは、たとえば１０°〜３０°であり、好ましくは１５°であってもよい。この角度θによって、作業者の堆積物を吸込む作業性が向上される。
【００２０】
作業者は、吸込み装置２０の操作部材３１を片方の手で掴んで、たとえば橋梁の床組、軌道などの上面の堆積物を、掻き取って、基板２１へすくい取り、基板２１上に載せる作業を良好な作業性で容易に行なうことができる。基板２１上に載せられた堆積物は、負圧源３の吸引力によって、また、作業者が操作部材３１を手で操作して吸込み装置２０の後部（図６の右方）が下方となるように傾斜することによって、基板２１の両端部の側板２４、２５および立上り側板３６、３７に沿って案内され、吸込み孔２８から操作部材３１を経て可撓管２から負圧源３によって吸引され、収集されて回収される。
【００２１】
端板２９は、前述のように、基板２１に垂直であるので、吸込み孔２８の内径よりも大きく、したがって吸込み孔２８へ入り込むことができない外形を有する堆積物、たとえば小石などは、吸込み孔２８に臨んで吸引されて、吸込み孔２８の外方で、基板２１上で端板２９に当接したままで静止する。したがって、そのような外形が大きい堆積物は、操作部材３１の目詰りを生じさせることはない。作業者は、端板２９に吸引当接したままで静止している堆積物を、手で掴み出して取り除き、掃除を続行することができる。したがって、掃除の途中で、目詰りに起因して負圧源３を休止せず、連続運転が可能であり、能率がよい。
【００２２】
図７は掃除機１の全体の斜視図であり、図８は掃除機１に備えられる負圧源３の断面図であり、図９は負圧源３の堆積物を回収する作業状態を示す分解斜視図である。負圧源３は、上方に開放した有底筒状容器６内に、堆積物収納袋８が収納され、容器６の上部から堆積物吸引手段９が着脱可能に設置されて構成される。堆積物収納袋８は、たとえば土嚢用の袋などであってもよい。堆積物吸引手段９は、通気性を有する有底筒状フイルタ１１と、そのフイルタ１１内に設けられる吸引機構１２と、フイルタ１１および吸引機構１２の上部が支持される取付けフランジ１３と、フランジ１３と容器６の上部とを離脱可能に連結する連結具１４とを含む。フランジ１３に立設される接続端１５には、可撓管２の基端部が接続される。接続端１５は、堆積物回収袋８の内面とフイルタ１１の外面との間の堆積物回収空間１６に連通する。フイルタ１１を介して吸引される空気は、堆積物吸引手段９の上部に形成された排気口１７から排出される。吸込み装置２０から可撓管２および接続端１５を経て吸引搬送されてきた堆積物は、堆積物回収空間１６に貯留される。堆積物回収袋８は、連結具１４の連結を解除して、図９のように、堆積物吸引手段９を容器６から取外すことによって、交換できる。
【００２３】
吸引機構１２は、電動機によって駆動される吸引ファンを備える。電動機には、掃除現場へ運搬可能な発電装置から電力が供給されてもよい。発電装置は、内燃機関によって駆動される発電機を含む。電動機には、商用交流電力が、可撓性電線を介して供給されてもよい。堆積物を吸引回収するために、サイクロンなどを備える構成が実現されてもよい。負圧源３は、たとえば１．２ｋＷの定格電力で風量３Ｎｍ３／分であってもよい。
【００２４】
図１０は、吸込み装置２０を使用して作業者が堆積物回収作業をしている状態を示す図である。作業者は、片方の手４１で操作部材３１を掴み、基板２１の前端部３９で、橋梁の床組、軌道などのコンクリートの上面などに堆積して存在する堆積物を、掻き取って、基板２１へすくい取り、基板２１上に載せる。基板２１上の堆積物は、吸込み孔２８から負圧吸引される。
【００２５】
図１１は、吸込み装置２０を使用して作業者が堆積物回収作業をしている他の状態を示す図である。作業者は、たとえば鉄道軌道の道床における水平な面４２上にある植物などを、基板２１の前端部３９で掻き取ってすくい取ることが、容易である。
【００２６】
図１２は、作業者が堆積物回収作業をしているさらに他の状態を示す図である。この作業では、たとえば鉄道軌道の道床や道路の路面などにおいて、植込みボルトなどの凸部４３の付近では、筒状の吸込み装置４４を用いて、堆積物の回収作業が行なわれてもよい。吸込み装置４４は、軸直角断面が小判形である偏平な筒部本体４５を有し、その前端部４６の端面は、筒部本体４５の軸線に斜めに交差した仮想平面内にある。吸込み装置４４のその他の構成は、前述の吸込み装置２０に類似する。
【００２７】
図１３は、本発明の実施の他の形態の吸込み装置５０の右側面図である。この吸込み装置５０は、前述の吸込み装置２０に類似し、対応する部分には、同一の参照符を付す。注目すべきは、端板２９に取付けられる操作部材５１の一端部５４付近は、他端部５５側に小径となる中空円錐台状に形成される。この実施の形態によれば、吸込み孔２８からの堆積物は、円滑に操作部材５１内へ導かれて回収される。一例として、中空円錐台の長さＬ５４は、操作部材５１の長手方向の長さＬ５１の１/３〜１/２（Ｌ５４ ＝ Ｌ５１／３〜Ｌ５４ ＝ Ｌ５１／２）であって、たとえば７〜１０ｃｍに選ばれてもよい。
【００２８】
図１４は本発明の実施の他の形態の掃除機１の吸込み装置６０の斜視図であり、図１５は吸込み装置６０の正面図であり、図１６は吸込み装置６０の背面図であり、図１７は吸込み装置６０の平面図であり、図１８は吸込み装置６０の底面図であり、図１９は吸込み装置６０の右側面図である。吸込み装置６０の左側面図は、右側面図と対称にあらわれる。この吸込み装置６０は、前述の吸込み装置２０、４４、５０に類似し、対応する部分の説明を簡略に、または省略する。
【００２９】
掃除機１の吸込み装置６０は、前方（図１９の左方）に開口し、後部（図１９の右方）が可撓管２を介して負圧源３に接続される。吸込み装置６０は、図１５〜図１８の左右対称に構成される。吸込み装置６０は、前後方向（図１９の左右方向）に延びる平板状の基板６１を有する。基板６１の両側部には、上方になるにつれて基板６１の幅方向外方（図１５の左右方向）に傾斜して立上る側板６４、６５が取付けられる。側板６４、６５には、立上り側板７６、７７が上方に延びて固定される。
【００３０】
立上り側板７６、７７は、基板６１の仮想延長面に垂直に、側板６４、６５から上方に連設される。
【００３１】
立上り側板７６、７７の上端部は、側板６４、６５から後方になるにつれて高く立上った前傾斜部８３、８４を有する。立上り側板７６、７７の前傾斜部８３、８４から後方に連なる上端部には、カバー部８１が取付けられる。カバー部８１は、基板６１の少なくとも後部を覆う。立上り側板７６、７７は、基板６１の前後方向（図１９の左右方向）の途中位置から、側方から見て、後方（図１９の右方向）になるにつれて高くなる３角形に近似した形状を有する板状である。
【００３２】
吸込み装置６０の寸法形状の一例を述べる。図１９のように、基板６１の前後方向の長さＬ６１＝１００ｍｍ、基板６１の前端部７９から立上り側板７６の前傾斜部８３までの距離Ｌ７６ａ＝３０ｍｍ（したがって、たとえば、Ｌ７６ａ≒Ｌ６１／３）、操作部材７１の長さと呼び径とは前述の操作部材３１と同一値であり、端板６９の高さＨ６９＝４２ｍｍ、側板６４の基板６１に垂直な高さＨ６４＝１５ｍｍ、前傾斜部８３の高さＨ８３＝９ｍｍ、図１５のように、端板６９の幅Ｗ６９＝９０ｍｍ、基板６１の幅Ｗ６１＝６０ｍｍである。
【００３３】
端板６９は、基板６１の後端部に配置され、基板６１から垂直に立上り、基板６１、側板６４、６５、立上り側板７６、７７およびカバー部８１に固定され、前方に臨んで開口する吸込み孔６８を有する。端板６９には、筒状、たとえば直円筒状の操作部材７１の一端部７４が固定されて吸込み孔６８に連通する。操作部材７１の他端部７５は、可撓管２に着脱可能に気密に接続される。操作部材７１は、後方（図１９の右方）になるにつれて上方に角度θだけ傾斜した軸線７２を有する。
【００３４】
カバー部８１は、基板６１、側板６４、６５および立上り側板７６、７７とともに、空間８２を規定する。カバー部８１は、前方に臨んで開放する取入れ口８６に連なる。空間８２は、吸込み孔６８付近における負圧の絶対値を可及的に大きくする。これによって、基板６１の前端部７９で、たとえば鉄道軌道の道床に固着している堆積物を剥離して、基板６１上へすくい取ることができる。基板６１上の堆積物は、取入れ口８６から空間８２を経て吸込み孔６８に負圧吸引されて吸込まれやすくなり、比較的大量の堆積物を、および比較的比重の大きい小石などの堆積物を、回収することができる。吸込み装置６０のその他の構成と動作、操作などは、前述の実施の形態に類似する。
【００３５】
図２０は、本発明の実施の他の形態の吸込み装置８８の右側面図である。この吸込み装置８８は、前述の吸込み装置６０に類似し、対応する部分には、同一の参照符を付す。注目すべきは、端板６９に取付けられる操作部材７１ａの一端部７４ａ付近は、他端部７５側になるにつれて軸直角断面の断面積が小さくなる筒状に形成される。この一端部７４ａ付近は、操作部材７１の軸線７２の下方に膨出した形状を有する。この実施の形態によれば、吸込み孔６８からの堆積物は、円滑に操作部材７１ａ内へ導かれて回収される。吸込み装置８８のその他の構成と動作、操作などは、前述の実施の形態に類似する。
【００３６】
図２１は本発明の実施の他の形態の掃除機１の吸込み装置９０の斜視図であり、図２２は吸込み装置９０の正面図であり、図２３は吸込み装置９０の背面図であり、図２４は吸込み装置９０の平面図であり、図２５は吸込み装置９０の底面図であり、図２６は吸込み装置９０の右側面図である。吸込み装置９０の左側面図は、右側面図と対称にあらわれる。この吸込み装置９０は、前述の吸込み装置に類似し、対応する部分の説明を簡略に、または省略する。
【００３７】
掃除機１の吸込み装置９０は、前方および下方（図２６の左方および下方）に開口する取入れ口１１６を有し、後部（図２６の右方）が可撓管２を介して負圧源３に接続される。吸込み装置９０は、図２２〜図２５の左右対称に構成される。吸込み装置９０は、前後方向（図２６の左右方向）に後方寄りで延びる平板状の基板９１を有する。基板９１の両側部には、上方になるにつれて基板６１の幅方向外方（図２２の左右方向）に傾斜して立ち上がる側板９４、９５が、前方（図２６の左方）に延びて取付けられる。側板９４、９５には、立上り側板１０６、１０７が上方に延びて固定される。
【００３８】
立上り側板１０６、１０７は、基板９１の仮想延長面に垂直に、側板９４、９５からその全長にわたって上方に連設される。立上り側板１０６、１０７は、側方から見て、後方（図２６の右方向）になるにつれて高くなる直角３角形の形状を有する板状である。
【００３９】
立上り側板１０６、１０７の上端部には、カバー部１１１が取付けられる。カバー部１１１は、基板９１を覆う。
【００４０】
端板９９は、基板９１の後端部に配置され、基板９１から垂直に立上り、基板９１、側板９４、９５、立上り側板１０６、１０７およびカバー部１１１に固定され、前方に臨んで開口する吸込み孔９８を有する。端板９９には、筒状、たとえば直円筒状の操作部材１０１の一端部１０４が固定されて吸込み孔９８に連通する。操作部材１０１の他端部１０５は、可撓管２に着脱可能に気密に接続される。操作部材１０１は、後方（図２６の右方）になるにつれて上方に角度θだけ傾斜した軸線１０２を有する。
【００４１】
吸込み装置９０の寸法形状の一例を述べる。図２６のように、側板９４の前後方向の長さＬ９４＝１００ｍｍ、基板９１の端板９９から前端部１０９までの距離Ｌ９１＝３５ｍｍ（したがって、たとえば、Ｌ９１≒Ｌ９４／３）、操作部材１０１の長さと呼び径とは前述の操作部材３１と同一値であり、端板９９の高さＨ９９＝６１ｍｍ、側板９４の基板９１に垂直な高さＨ９４＝１５ｍｍ、図２２のように、端板９９の幅Ｗ９９＝９０ｍｍ、基板９１の幅Ｗ９１＝６０ｍｍである。
【００４２】
カバー部１１１は、基板９１、側板９４、９５および立上り側板１０６、１０７とともに、空間１１２を規定する。カバー部１１１は、前方および下方に臨んで開放する取入れ口１１６に連なる。空間１１２は、除去すべき堆積物の全体を収納するので、吸込み孔９８付近における負圧の絶対値を可及的に大きくする。これによって、基板９１上の堆積物は、取入れ口１１６から空間１１２を経て吸込み孔９８に負圧吸引されて吸込まれやすくなり、比較的大量の堆積物を、および比較的比重の大きい小石などの堆積物を、回収することができる。吸込み装置９０のその他の構成と動作、操作などは、前述の実施の形態に類似する。
【００４３】
図２７は、本発明の実施の他の形態の吸込み装置１１８の斜視図である。この吸込み装置１１８は、前述の吸込み装置９０に類似し、対応する部分には、同一の参照符を付す。注目すべきは、端板９９に取付けられる操作部材１０１ａの一端部１０４ａ付近は、他端部１０５側になるにつれて軸直角断面の断面積が小さくなる筒状に形成される。この一端部１０４ａ付近は、操作部材１０１ａの軸線１０２の上方に膨出した形状を有する。この実施の形態によれば、吸込み孔９８からの堆積物は、円滑に操作部材１０１ａ内へ導かれて回収される。図２１〜２６における側板９４、９５は、この実施の形態では、省略される。吸込み装置１１８のその他の構成と動作、操作などは、前述の実施の形態に類似する。
【００４４】
図２８は本発明の実施の他の形態の掃除機１の吸込み装置１２０の斜視図であり、図２９は吸込み装置１２０の正面図であり、図３０は吸込み装置１２０の背面図であり、図３１は吸込み装置１２０の平面図であり、図３２は吸込み装置１２０の底面図であり、図３３は吸込み装置１２０の右側面図である。吸込み装置１２０の左側面図は、右側面図と対称にあらわれる。この吸込み装置１２０は、前述の吸込み装置に類似し、対応する部分の説明を簡略に、または省略する。
【００４５】
掃除機１の吸込み装置１２０は基本的に、包囲部材１２１と包囲部材１２１の上部に連なる筒状、たとえば直円筒状の操作部材１３１とを含み、操作部材１３１が可撓管２を介して負圧源３に接続される。吸込み装置１２０は、図２９〜図３２の左右対称に構成され、包囲部材１２１は、図３３の左右対称に構成される。
【００４６】
包囲部材１２１は、周壁１２４と、周壁１２４の上部を塞ぐ端壁１２５とを有する。周壁１２４は、下方に臨む取入れ口１２６を形成し、この取入れ口１２６に連なって端壁１２５とともに取入れ空間１２７を形成する。端壁１２５には、取入れ空間１２７に開口する吸込み孔１２８が形成される。操作部材１３１の一端部１３３は、端壁１２５に固着され、吸込み孔１２８に連通する。操作部材１３１の他端部１３４は、可撓管２に着脱可能に気密に接続される。操作部材１３１は、後方（図３３の右方）になるにつれて上方に角度θ１だけ傾斜した軸線１３２を有する。角度θ１は、たとえば３０°〜６０°であってもよく、好ましくは４５°に選ばれる。
【００４７】
周壁１２４では、前板１３５ａと後板１３５ｂとにそれぞれ関連して、参照符に添え字ａ、ｂを付し、総括的に数字のみで示す。側板１３６は、斜め側板１３７、１３８を介して、前板１３５ａと後板１３５ｂとに連なって固定される。周壁１２４の側板１３６は、図３３に明らかに示されるように、下方から上方になるにつれて前後方向（図３３の左右方向）の幅が大きくなるように構成され、したがって、その内部の取入れ空間１２７は下方から上方になるにつれて拡がって形成される。
【００４８】
包囲部材１２１の周壁１２４における側板１３６および斜め側板１３７、１３８から成る両側部には、下方に開放した逆Ｕ字状の切欠き１４１が形成される。
【００４９】
吸込み装置１２０を使用して作業者が堆積物回収作業を、図２８を参照して説明する。作業者は、片方の手で操作部材１３１を掴んだ状態で、たとえば橋梁の床組、軌道などの上面１４２から突出した植込みボルト、その他のボルト頭、ナットなどの凸部１４３付近を掃除するにあたり、包囲部材１２１の下部を上面１４２に当接した状態で、包囲部材１２１の切欠き１４１が凸部１４３を通過するように、幅方向１４５の両側に、すなわち左右両側方（図２９の左右方向、図３３の紙面に垂直方向）に、往復移動する。これによって、凸部１４３およびその付近を、包囲部材１２１の負圧である取入れ空間１２７内に存在させる。したがって、凸部１４３付近の堆積物を、容易に取入れ口１２６から取入れ空間１２７を経て吸込み孔１２８に吸引させて、除去することができる。前述の従来では、凸部１４３付近の堆積物を除去しにくく、特に凸部１４３に巻き付いている堆積物は、除去しにくかったが、本発明によれば、凸部１４３の延びる軸線方向（図２８、図２９、図３３の上方）に、堆積物を吸引できるので、その掃除の作業性は良好である。
【００５０】
取入れ空間１２７は、その下部の取入れ口１２６および切欠き１４１から上方になるにつれて拡がって形成されるので、凸部１４３付近などの堆積物を、比較的狭い取入れ口１２６および切欠き１４１から取入れ空間１２７内へ、大きな吸引力で、取入れて収納することができる。取入れ空間１２７は、その上部で拡がって形成されるので、取入れ空間１２７内に、一旦、取入れられた堆積物は、吸込み孔１２８へ連続して順次的に円滑に吸込まれて導かれ、したがって、堆積物によって吸込み孔１２８が目詰まりを生じることはない。
【００５１】
吸込み装置９０の寸法形状の一例を述べる。図３３のように、端壁１２５の前後方向の長さＬ１２５＝６２ｍｍ、切欠き１４１の下端部の前後方向の長さＬ１４１＝２８ｍｍ、前板１３５ａ、１３５ｂの高さＨ１３５＝９０ｍｍ、切欠き１４１の高さＨ１４１＝３０ｍｍ、操作部材１３１の長さと呼び径とは前述の操作部材３１と同一値であり、図２９のように、前板１３５の幅Ｗ１３５＝ｍｍ、端壁１２５の幅Ｗ１２５＝６２ｍｍである。
【００５２】
図３４は、本発明の実施の他の形態の吸込み装置１４８の右側面図である。この吸込み装置１４８は、前述の吸込み装置１２０に類似し、対応する部分には、同一の参照符を付す。注目すべきは、包囲部材１２１ａの端壁１２５に取付けられる操作部材１３１ａの一端部１３３ａ付近は、他端部１３４側になるにつれて軸直角断面の断面積が小さくなる筒状に、たとえば他端部１３４側に小径となる中空円錐台状に形成される。この実施の形態によれば、吸込み孔１２８からの堆積物は、円滑に操作部材１３１ａ内へ導かれて回収される。吸込み装置１４８のその他の構成と動作、操作などは、前述の実施の形態に類似する。
【産業上の利用可能性】
【００５３】
本発明は、道路、鉄道などの橋梁における堆積物を掃除するためだけでなく、橋梁以外の鋼およびコンクリート構造物、建造物などに関連しても実施することができる。
【００５４】
さらに、本発明は、従来の電車の床下の気吹き作業では、粉塵が周囲に散乱して充分な集塵効果が得られていないという問題を解決するために、従来の気吹き方法でなく、本発明に従う吸込み装置を備える多機能掃除機を活用して、粉塵を吸い取るために、実施することができる。
【００５５】
本発明は、前述の堆積物だけでなく、その他の多くの種類の不要な、除去されるべきごみ、ほこり、塵埃などに関連して、他の技術分野でも広範囲に実施できる。
【符号の説明】
【００５６】
１  掃除機１
２  可撓管
３  負圧源
２０、４４、５０、６０、８８、９０、１１８、１２０、１４８  吸込み装置
２１、９１、６１  基板
２２、２３  側部
２４、２５、６４、６５  側板
３６、３７、７６、７７  立上り側板
２９、６９、９９  端板
２８、６８、９８、１２８  吸込み孔
３１、７１、７１ａ、１０１、１０１ａ、１３１、１３１ａ  操作部材
３２、７２、１０２、１３２軸線
３９、４６、７９  前端部
８１、１１１  カバー部
８２、１１２  空間
８６、１１６、１２６  取入れ口
１１２  空間
１２１  包囲部材
１２４  周壁
１２５  端壁
１２７  取入れ空間
１３５ａ  前板
１３５ｂ  後板
１３６  側板
１３７、１３８  斜め側板
１２７  取入れ空間
１４１  切欠き
【図１】
2017086511.tif 000003
【図２】
2017086511.tif 000004
【図３】
2017086511.tif 000005
【図４】
2017086511.tif 000006
【図５】
2017086511.tif 000007
【図６】
2017086511.tif 000008
【図７】
2017086511.tif 000009
【図８】
2017086511.tif 000010
【図９】
2017086511.tif 000011
【図１０】
2017086511.tif 000012
【図１１】
2017086511.tif 000013
【図１２】
2017086511.tif 000014
【図１３】
2017086511.tif 000015
【図１４】
2017086511.tif 000016
【図１５】
2017086511.tif 000017
【図１６】
2017086511.tif 000018
【図１７】
2017086511.tif 000019
【図１８】
2017086511.tif 000020
【図１９】
2017086511.tif 000021
【図２０】
2017086511.tif 000022
【図２１】
2017086511.tif 000023
【図２２】
2017086511.tif 000024
【図２３】
2017086511.tif 000025
【図２４】
2017086511.tif 000026
【図２５】
2017086511.tif 000027
【図２６】
2017086511.tif 000028
【図２７】
2017086511.tif 000029
【図２８】
2017086511.tif 000030
【図２９】
2017086511.tif 000031
【図３０】
2017086511.tif 000032
【図３１】
2017086511.tif 000033
【図３２】
2017086511.tif 000034
【図３３】
2017086511.tif 000035
【図３４】
2017086511.tif 000036
【手続補正書】
【提出日】平成28年3月14日(2016.3.14)
【手続補正１】
【補正対象書類名】図面
【補正対象項目名】全図
【補正方法】変更
【補正の内容】
【図１】
2017086511.tif 000037
【図２】
2017086511.tif 000038
【図３】
2017086511.tif 000039
【図４】
2017086511.tif 000040
【図５】
2017086511.tif 000041
【図６】
2017086511.tif 000042
【図７】
2017086511.tif 000043
【図８】
2017086511.tif 000044
【図９】
2017086511.tif 000045
【図１０】
2017086511.tif 000046
【図１１】
2017086511.tif 000047
【図１２】
2017086511.tif 000048
【図１３】
2017086511.tif 000049
【図１４】
2017086511.tif 000050
【図１５】
2017086511.tif 000051
【図１６】
2017086511.tif 000052
【図１７】
2017086511.tif 000053
【図１８】
2017086511.tif 000054
【図１９】
2017086511.tif 000055
【図２０】
2017086511.tif 000056
【図２１】
2017086511.tif 000057
【図２２】
2017086511.tif 000058
【図２３】
2017086511.tif 000059
【図２４】
2017086511.tif 000060
【図２５】
2017086511.tif 000061
【図２６】
2017086511.tif 000062
【図２７】
2017086511.tif 000063
【図２８】
2017086511.tif 000064
【図２９】
2017086511.tif 000065
【図３０】
2017086511.tif 000066
【図３１】
2017086511.tif 000067
【図３２】
2017086511.tif 000068
【図３３】
2017086511.tif 000069
【図３４】
2017086511.tif 000070